(57)【要約】      （修正有）【課題】靴の形状や足のサイズが合わずに脱げる靴で階段や歩行中の転倒防止や突っかかり防止及び靴ずれ、外反母趾軽減のための安全補助の履物補助具を提供する。【解決手段】面ファスナーのフック２面を表面とし、ループ面を裏面とした足の甲と靴周り及び靴底を巻いて留める履物補助具であって、長い方のバンド１２と短い方のバンド１７の組み合わせでサンダルやクロックスなどの靴に踵上部でサポートする。両方のバンドは一端から１／３以内にバンドが通る孔１６を設け、孔の位置でループ面とフック面２が入れ替わる。長い方のバンド１２は他端から１／４は裏表共にループ面であり、短い方のバンド１７は他端が少なくとも１つ以上のバンドが通る孔のある留め具１８を有している。【選択図】図２０
0003223197.tif 000002
【実用新案登録請求の範囲】
【請求項１】
面ファスナーのフック面を表面とし、ループ面を裏面とした足の甲と靴周り及び靴底を巻いて留める帯状の履物補助具。
【請求項２】
前記面ファスナーの表面に装飾を施した請求項１の記載の履物補助具。
【請求項３】
装飾物を前記面ファスナーのフック面に装着した、請求項１及び請求項２の履物補助具に装飾を付替える事が可能な履物補助具。
【請求項４】
面ファスナーのフック面を表面とし、ループ面を裏面としたバンドの一端に少なくとも１つ以上のバンドが通る孔を有した足の甲と靴周り及び靴底を巻いて留める帯状の履物補助具。
【請求項５】
面ファスナーのフック面を表面とし、ループ面を裏面とした一端に少なくとも１つ以上のバンドが通る孔を有したバンドで一端を靴の一部に巻いて留め、他端は１／４以内に裏表共にループ面を設け折り返したバンドで表面と裏面をつないで装着する履物補助具。
【請求項６】
面ファスナーのフック面を表面とし、ループ面を裏面とした同じ幅の帯状の長短２本のバンドを使用する履物用補助具であって、両方のバンドは一端から１／３以内にバンドが通る孔を設けて前記孔の位置でループ面とフック面が入れ替わり、長い方のバンドは他端から１／４は裏表共にループ面であり、短い方のバンドは他端が少なくとも１つ以上のバンドが通る孔のある留め具を有した履物補助具。
【考案の詳細な説明】
【技術分野】
【０００１】
本考案は靴脱げや靴擦れによる歩行の補助や外反母趾、転倒防止等の安全性の向上に関するものである。
また、シューズバンド以外にもケーブル類の結束やブックバンド、ポスター、パンフレット、旅行用の荷物をまとめる事にも使え、ハンドバンドとして集団の見分けにも利用できるものである。
【背景技術】
【０００２】
近年、従来よりも服や靴など身につけるものの標準サイズが大きくなっている。特に靴のサイズについては小さめのサイズはあまり生産されていないためサイズの合わない靴で中敷き等を詰めて履いている事が多い。
しかし、中敷き等をしていてもサイズの合わない靴では蹴躓いたり、脱げやすいため歩行や階段等で非常に危険である。
【０００３】
また、サンダルやミュール、クロックスでは中敷きは使えないためサイズが合わないまま着用しているのを多く見かける。特にレジャーではサンダルやクロックスを着用している機会も多く、海辺や水場、山地などサイズの合わない脱げやすい状態では危険な場面もたくさん見られる。
【０００４】
市販されているゴム製やシリコン製の輪状のシューズバンドでは伸縮性があるが故に靴と足がしっかり固定されず脱げやすく使用中にずれてくることがある。また、何度か着用しているうちにバンドの内径が拡がりサイズが合わなくなり、経年によるゴム性能の劣化も著しい。
【０００５】
他に市販されている留め具が付いている紐や帯状のシューズバンドでは始めからサイズが決められている場合があり、自分に合った自由なサイズでの微調整ができない事がある。また、バンドの位置や長さも調節出来ないことが多い。
【０００６】
シューズバンドの多くは素材が決められているため、様々な素材の靴に合わせて着用が出来ない他、履く靴の素材や型が限定される場合がある。
【先行技術文献】
【特許文献】
【０００７】
【特許文献１】実用新案登録第３１４１８２６号
【特許文献２】実用新案登録第３１５３４１１号
【考案の概要】
【考案が解決しようとする課題】
【０００８】
本考案は前述のような様々な問題を考慮して創案したものである。装着や調整が何度でも容易に行える他、ヒールの有無にかかわらず装着ができ、サンダルやミュール、クロックスといった踵部分がない靴にも装着が可能である。また、靴の素材やデザインに合わせてバンドデザインの変更も容易であるため広く様々な靴への装飾が提供できるものである。
【課題を解決するための手段】
【０００９】
前記の目的を達成するために請求項１に記載の考案は、面ファスナーのフック面（凸側）を表面とし、ループ面（凹側）を裏面とした足の甲と靴周り及び靴底を巻いて留める帯状の履物補助具である。
【００１０】
請求項２に記載の考案は、請求項１の記載の帯状のバンドにおいて面ファスナーの表面に装飾を施した履物補助具である。
【００１１】
請求項３に記載した考案は請求項１及び請求項２の履物補助具において装飾物を前記面ファスナーのフック面（凸側）に装着した、請求項１及び請求項２の履物補助具に装飾を付替える事が可能な履物補助具である。
【００１２】
請求項４に記載した考案は面ファスナーのフック面（凸側）を表面とし、ループ面（凹側）を裏面としたバンドの一端に少なくとも１つ以上のバンドが通る孔を有した足の甲と靴周り及び靴底を巻いて留める帯状の履物補助具である。
【００１３】
請求項５に記載した考案は面ファスナーのフック面（凸側）を表面とし、ループ面（凹側）を裏面とした一端に少なくとも１つ以上のバンドが通る孔を有したバンドで一端を靴の一部に巻いて留め、他端は１／４以内に裏表共にループ面を設け折り返したバンドで表面と裏面をつないで装着する履物補助具である。
【００１４】
請求項６に記載した考案は面ファスナーのフック面（凸側）を表面とし、ループ面（凹側）を裏面とした同じ幅の帯状の長短２本のバンドを使用する履物用補助具であって、両方のバンドは一端から１／３以内にバンドが通る孔を設けて前記孔の位置でループ面とフック面が入れ替わり、長い方のバンドは他端から１／４は裏表共にループ面であり、短い方のバンドは他端が少なくとも１つ以上のバンドが通る孔のある留め具を有した履物補助具である。
【考案の効果】
【００１５】
本考案は前記に述べた特徴から、面ファスナーを用いて足と靴を固定、または踵上部でサポートをすることで靴脱げ、靴擦れ、突っかかりや転倒防止等を防ぐ履物用の安全補助装着具の特徴を持つバンドである。
【００１６】
本考案の履物補助具は面ファスナーを用いることで何度でも容易に着脱や微調整が可能で、バンドの長さが長すぎる時は切断して調整できる特徴がある。また、軽量でコンパクトにまとめられるため携帯に便利で、外出先でもかさばらない利点がある。特に旅行やレジャーなど外出先で使わない時は荷物を結束するバンドとしても活用できる特徴がある。
【００１７】
請求項２にあっては、面ファスナーのフック面（凸側）に印刷でデザイン性のある装飾を施せるが、フック面（凸側）を外向けにすることで請求項３の考案のように印刷や布以外にもレザーやレース、アクセサリー等の様々なバリエーションを施したバンドを付け替えて装着する事が可能な履物補助具である。また、付け替え可能なバンドにはフック面（凸側）を被覆するため汚れ防止やストッキングや靴下への引っ掛け防止、バンドの補強効果がある。さらに、ループ面（凹側）を足の肌側にするので、素足やストッキング、靴下への傷付きも防止する特徴がある。
【００１８】
請求項４の履物補助具にあっては、面ファスナーのフック面（凸側）を表面としループ面（凹側）を裏面としたバンドであるがバンドの一端に孔を設けたことで、バンドを孔に通して装着するため簡易なストッパーとなりバンドの不意な着脱や簡易な外れを防ぐ効果がある。また、靴の紐やベルト状になった部位に２本の前記バンドを巻いて取付け、踵上部でバンドを交差させて装着をさせることで靴脱げや靴擦れ、突っかかりや転倒を軽減する履物補助具である。
【００１９】
請求項５の履物補助具にあっては、バンドの一端にバンドが通る孔を設け、更に他端の１／４以内に裏表共にループ面を設け折り返してバンドの裏面を表面につなげて着脱できる特徴がある。これにより例えば靴の紐状やベルト状になった部位にバンドの孔を設けた一端を巻いて取り付け、バンドの他端は靴の紐状やベルト状になった部位で折り返して表面と裏面をつないで装着し単体で履物補助具として利用できる特徴がある。
【００２０】
請求項６の履物補助具にあっては、面ファスナーのフック面（凸側）を表面としループ面（凹側）を裏面としたバンドであるが、端部から１／３以内に設けた孔の部分からバンドの先端までが表面はループ面（凹側）裏面をフック面（凸側）と裏表が逆になっており、サンダルやクロックスなど踵の無い靴で例えば靴の紐やベルト状になった一部にバンドの孔から先端部を巻いて取付け、バンドに付けた留め具で長い方のバンドと短い方のバンドを連結し、留め具で折返したバンドで長さを調節して留めて装着し踵上部でサポートを行い靴脱げや靴擦れ、突っかかりや転倒を軽減する特徴がある。
【００２１】
請求項４及び請求項５及び請求項６にあっては、請求項１及び請求項４のバンドにおいてパンプス等ヒールのある靴などでデザインによってはバンド一つでは固定が難しい場合があるため、請求項１及び請求項４のバンドと請求項５や請求項６や請求項７のバンドを組み合わせて使い、複合的に２つ以上のバンドを装着することで靴脱げを防止する特徴がある。
【図面の簡単な説明】
【００２２】
【図１】実施例１の履物補助具の断面図
【図２】実施例１の履物補助具の上面図
【図３】実施例１の履物補助具の下面図
【図４】実施例１の履物補助具の装着図（Ａ）と取り付け断面図（Ｂ）
【図５】実施例２の装飾補助バンド断面図
【図６】実施例２の装飾補助バンド上面図
【図７】実施例２の装飾補助バンドデザイン案の例（ａ）
【図８】実施例２の装着図（Ｃ）と取り付け断面図（Ｄ）
【図９】実施例３の履物補助具の上面図
【図１０】実施例３の履物補助具の使用例（E）装着図（F）
【図１１】実施例３の履物補助具のサンダルへの装着図
【図１２】実施例１、実施例３の履物補助具の組み合わせ装着図正面（G）と装着図横面（H）
【図１３】実施例４の履物補助具の上面図
【図１４】実施例４の履物補助具のサンダルへの装着図
【図１５】実施例１、実施例４の履物補助具の組み合わせ装着図正面
【図１６】実施例５の履物補助具の長い方のバンドと短い方のバンドの上面図
【図１７】実施例５の履物補助具の短い方のバンドの別実施例の上面図
【図１８】実施例５の履物補助具の装着図横面（I）と装着図上面（J）
【図１９】実施例５の履物補助具の長い方のバンドと短い方のバンドの連結の図解（K）（L）
【図２０】実施例１、実施例５の履物補助具の組み合わせ装着図
【図２１】実施例２、実施例５の履物補助具の組み合わせ装着図
【図２２】履物補助具以外の使用例案の一例
【考案を実施するための形態】
【００２３】
本考案に係る実施の形態を、添付図面を参照して詳細に説明する。
【００２４】
図１〜図４を用いて本考案の実施例１の履物補助具について説明する。
【００２５】
実施例１の履物補助具は図１に示すように上部がフック面２（凸面）、下部がループ面３（凹面）の面ファスナーの構造になったバンド１である。凹凸面が表裏一体となっており、バンド全面で接着できるものである。
【００２６】
図２はソフトプラスチックのフック面２（凸面）で表面になる。フック面２には印刷等でデザインを施すことも出来る。図３はやわらかい布のループ面３で足の肌に当たる側（凹面）になり、足や靴に傷がつきにくい構造である。
【００２７】
図４（Ａ）は装着図で図４（Ｂ）のように足と靴をバンド１で巻いて固定する。バンド１の重なった部分で接着するが、面ファスナー構造なので何度でも容易に微調整ができ、着脱も簡単にできるものである。
【００２８】
図５〜図８を用いて本考案の実施例２の履物補助具について説明する。
【００２９】
図５はバンド１のフック面２側に補助バンド４を装着した場合の断面図である。図６に示すように図２のバンド１表面に装着をするため、補助バンド４のバンド１に装着する面は面ファスナーのループ面（凹面）である。
【００３０】
補助バンド４のループ面（凹面）の反対側は図７の様に様々な装飾が可能である。模様や文字の印刷、エナメルやデニム、合皮などの素材やレース、パールなどのアクセサリーで装飾を施すことができるため、ＴＰＯやおしゃれに合わせてイメージを変えた装着ができる特徴がある。
【００３１】
図８（Ｃ）は実施例２のバンドを装着したイメージ図であるが、実施例１と比べるとおしゃれなイメージが上がっているのがわかる。図８（D）は実施例２のバンドを足に取付けた時の断面図である。
【００３２】
図９〜図１２を用いて本考案の実施例の履物補助具について説明する。
【００３３】
実施例３は図９に示すようにバンド６の一端にバンドが通る孔７を設けた上部がフック面（凸面）、下部がループ面（凹面）の面ファスナーの構造である。装着は図１０（F）のように図４（A）の装着図と見た目は変わらず凹凸面が表裏一体となっており、バンド全面で接着できるものであるが、図１０（E）に示すように他端５を孔７に通して装着するため孔の周り部分が簡易のストッパーとなり、不意な着脱や簡易な外れを防ぐ効果がある。
【００３４】
図１１は実施例３のバンド６を２本使い、サンダルベルト部分にくぐらせたバンド６の端部５を孔７に通して巻いて留め、サンダルに取付けた例である。２本のバンドを交差させてちょうど良い長さに調節して接着し踵上部でサポートする履物補助具として利用できる特徴がある。
【００３５】
図１２は実施例１のバンド１及び実施例３のバンド６を組み合わせて装着した例である。装着する靴によってはデザイン等で実施例１のバンド１や実施例３のバンド６だけでは装着が難しく、バンド１本だけではサポートが不十分な場合があるので図１２（G）（H）の様に実施例１のバンド１及び実施例３のバンド６を２本以上で組み合わせて使用することでバンドのズレや緩みを軽減し履物補助具として利用ができる。
【００３６】
図１３〜図１５を用いて本考案の実施例４の履物補助具について説明する。
【００３７】
実施例４は図１３に示すようにバンド９の一旦にバンドが通る孔１０を設けた上部がフック面（凸面）、下部がループ面（凹面）の面ファスナーの構造であるが、バンドの１／４以内の長さで他端８の部分に裏表共にループ面（凹面）を設けている。これにより図１４に示すように例えば靴の紐やバンド部分にバンド９を孔１０に通して装着した後、他端８は靴の紐やバンド部分にくぐらせバンド９を折返し自由に調節した長さでバンド裏面を表面に接着させ履物補助具として利用できる特徴がある。
【００３８】
図１５は実施例１のバンド１と実施例４のバンド９を組み合わせて装着した例である。装着する靴によってはデザイン等で実施例１のバンド１及び実施例３のバンド６だけでは装着が難しく、バンド１本だけではサポートが不十分な場合があるので図１５の様にバンド１及びバンド６をバンド９と複合的に組み合わせて使用することでバンドのズレや緩みを軽減し履物補助具として利用ができる。
【００３９】
図１６〜図２１を用いて本考案の実施例５の履物補助具について説明する。
【００４０】
実施例５は図１６に示す長い方のバンド１２と短い方のバンド１７の組み合わせでサンダルやクロックスなどの靴に踵上部でサポートする履物補助具である。両方のバンドは一端から１／３以内にバンドが通る孔１３及び孔１６を設け、孔の位置でループ面とフック面が入れ替わる。長い方のバンドは他端から１／４は裏表共にループ面であり、短い方のバンドは他端が少なくとも１つ以上のバンドが通る孔のある留め具を有している。
【００４１】
実施例５の履物補助具は図１６の長い方のバンド１２と短い方のバンド１７を留め具１８を使ってバンド同士を連結する。短い方のバンドに付いている留め具１８は一つ孔の留め具の一例として記したものであり、図１７の短い方のバンドに付いている留め具１９は二つ孔の留め具の一例として記したものである。
【００４２】
実施例５の履物補助具のサンダルへの取付けは長い方のバンド１２の端部１４と短い方のバンド１７の端部１５をサンダルの部位に巻いて長い方のバンド１２の端部１４は孔１３に、短い方のバンド１５の端部は孔１６に通して留める。長い方のバンドの１２の他端１１はバンド１２の長さ１／４以内で表裏共ループ面になっており、短い方のバンドの留め具１８にバンド端部１１を通して折返し、長さを調節して留めることができる。
【００４３】
図１８（I）は実施例５のバンドの装着例であり、図１８(J)は実施例５のサンダルへ取付けた際の上面図の一例である。
【００４４】
実施例５の長い方のバンド１２と短い方のバンド１７の連結例は図１９のようになる。図１９（K）は一つ孔留め具の一例で図１９（L）は二つ孔の留め具を使った連結の一例である。
【００４５】
図２０は実施例１のバンド１と実施例５のバンド１２とバンド１７を組み合わせて装着した図である。装着する靴によってはデザイン等で実施例１のバンド１及び実施例３のバンド６だけでは装着が難しく、バンド１本だけではサポートが不十分な場合があるので図２０の様にバンド１及びバンド６をバンド１２とバンド１７で複合的に組み合わせて使用することでバンドのズレや緩みを軽減し履物補助具として利用ができる。
【００４６】
図２１は図２０に実施例２の補助バンド４を装着した図である。組み合わせた場合でも違和感なくおしゃれ度を上げることを説明した図である。
【００４７】
実施例１及び実施例３のバンドは軽量でコンパクトにまとめられる特徴から携帯に便利で、外出先でもかさばらない利点がある事から、シューズバンド以外にも旅行やレジャーなど外出先で使わない時は荷物を結束するバンドとしての活用も可能である。図２２は本考案のバンドの他の用途としてケーブル類の結束やブックバンド、ポスター、パンフレットの結束、イベント等ではハンドバンドとして集団の見分けにも利用できるなど多岐に活用できる一例である。
【図１】
0003223197.tif 000003
【図２】
0003223197.tif 000004
【図３】
0003223197.tif 000005
【図４】
0003223197.tif 000006
【図５】
0003223197.tif 000007
【図６】
0003223197.tif 000008
【図７】
0003223197.tif 000009
【図８】
0003223197.tif 000010
【図９】
0003223197.tif 000011
【図１０】
0003223197.tif 000012
【図１１】
0003223197.tif 000013
【図１２】
0003223197.tif 000014
【図１３】
0003223197.tif 000015
【図１４】
0003223197.tif 000016
【図１５】
0003223197.tif 000017
【図１６】
0003223197.tif 000018
【図１７】
0003223197.tif 000019
【図１８】
0003223197.tif 000020
【図１９】
0003223197.tif 000021
【図２０】
0003223197.tif 000022
【図２１】
0003223197.tif 000023
【図２２】
0003223197.tif 000024
【手続補正書】
【提出日】令和1年7月29日(2019.7.29)
【手続補正１】
【補正対象書類名】実用新案登録請求の範囲
【補正対象項目名】全文
【補正方法】変更
【補正の内容】
【実用新案登録請求の範囲】
【請求項１】
面ファスナーのフック面を表面とし、ループ面を裏面とした足の甲と靴周り及び靴底を巻いて留める帯状の履物補助具。
【請求項２】
前記面ファスナーの表面に装飾を施した請求項１の記載の履物補助具。
【請求項３】
装飾物を前記面ファスナーのフック面に装着した、請求項１及び請求項２の履物補助具に装飾を付替える事が可能な履物補助具。
【請求項４】
一端に少なくとも１つ以上のバンドが通る孔を有したことを特徴とする請求項１に記載の履物補助具。
【請求項５】
一端を靴の一部に巻いて留め、他端は１／４以内に裏表共にループ面を設け折り返したバンドで表面と裏面をつないで装着することを特徴とする請求項４に記載の履物補助具。
【請求項６】
面ファスナーのフック面を表面とし、ループ面を裏面とした同じ幅の帯状の長短２本のバンドを使用する履物用補助具であって、両方のバンドは一端から１／３以内にバンドが通る孔を設けて前記孔の位置でループ面とフック面が入れ替わり、長い方のバンドは他端から１／４は裏表共にループ面であり、短い方のバンドは他端が少なくとも１つ以上のバンドが通る孔のある留め具を有したことを特徴とする請求項１に記載の履物補助具。